(57)【要約】【課題】パウチ等の包装袋に取り付けて容易に一定量の内容物の注出が可能で、内容物を無駄にすることが無い計量機能付き口栓を提供する。【解決手段】包装袋に取り付ける計量機能付き口栓であって、外筒２と外筒に嵌装された内筒３を有し、外筒は、下端が封止され、側面に外導入口２０が開口し、外導入口よりも下部に所定の容積の計量部２６があり、上端が開放され、内筒は、上端が封止され、上部側面に注出口３１が開口し、下部側面に内導入口３０が開口し、下端が開放され、筒軸方向または筒周方向の少なくとも一方に摺動可能であり、内導入口と外導入口と注出口は、内筒を摺動させて内導入口と外導入口の位置を合わせたときは注出口が外筒により閉止され、注出口を口栓外へ開口させたときは内導入口と外導入口の位置がずれて閉止される位置に設けられている。【選択図】図１
2018127266.tif 000002
【特許請求の範囲】
【請求項１】
包装袋に取り付ける計量機能付き口栓であって、
外筒と前記外筒に嵌装された内筒を有し、
前記外筒は、下端が封止され、側面に外導入口が開口し、前記外導入口よりも下部に所定の容積の計量部があり、上端が開放され、
前記内筒は、上端が封止され、上部側面に注出口が開口し、下部側面に内導入口が開口し、下端が開放され、筒軸方向または筒周方向の少なくとも一方に摺動可能であり、
前記内導入口と前記外導入口と前記注出口は、
前記内筒を摺動させて前記内導入口と前記外導入口の位置を合わせたときは前記注出口が前記外筒により閉止され、前記注出口を口栓外へ開口させたときは前記内導入口と前記外導入口の位置がずれて閉止される位置に設けられていることを特徴とする計量機能付き口栓。
【請求項２】
前記外筒の上部側面に第二の注出口が設けられ、前記第二の注出口は前記内筒を筒周方向に摺動させることで前記注出口と位置を合わせられる部位に設けられ、前記第二注出口と位置を合わせることにより前記注出口が口栓外へ開口することを特徴とする請求項１に記載の計量機能付き口栓。
【請求項３】
前記計量部は透明または半透明な材料で形成され、前記口栓の内容物が透視できることを特徴とする請求項１または２のいずれかに記載の計量機能付き口栓。
【請求項４】
前記計量部に目盛りが設けられていることを特徴とする請求項３に記載の計量機能付き口栓。
【請求項５】
前記外筒の上部外側面に包装袋との接着部が設けられ、前記接着部は直径方向の両側面が筒軸方向から見て山形に突出していることを特徴とする請求項１から４のいずれかに記載の計量機能付き口栓。
【請求項６】
前記内筒の上端に把持部が設けられていることを特徴とする請求項１から５のいずれかに記載の計量機能付き口栓。
【請求項７】
透明または半透明なプラスチックフィルムを貼り合せてなり、請求項１から６のいずれかに記載の計量機能付き口栓が取り付けられた包装袋。
【発明の詳細な説明】
【技術分野】
【０００１】
本発明は、計量機能付きの口栓および包装袋に関し、特にパウチなどの包装袋に取り付け、内容物の液体を容易に計量して取り出すことのできる計量機能付き口栓および包装袋に関する。
【背景技術】
【０００２】
従来から、液体状の洗剤、柔軟剤、調味料、食品、化粧品等を内部に収納する液体容器として、プラスチックフィルムからなる種々の形状、構造のパウチと呼称される包装袋が提案され、実用化されている。パウチはプラスチックフィルムを貼りあわせて製造されるため、軽量で安価であり、スタンディングパウチ形状として自立性を持たせることも可能で運搬や保管も容易であり、使用後に廃棄する際には小さく折り畳める、など多くの利便性があることから広く利用されている。
【０００３】
一方で、パウチは剛性が高くないため、内容物を注出するためのポンプや計量機能つきの大きなキャップなどを装着することが難しく、一定量の内容物を計量して注出する必要のある用途、例えば液体洗剤、柔軟剤などの用途には、これらの計量機能を有するボトルの詰替え容器として用いられることが多かった。しかしボトルはプラスチックの使用量が多くコスト高であり、嵩張るため廃棄が面倒などといった問題があった。
【０００４】
そこでパウチ自体に計量機能を付するための改良がなされ、特に口栓部分に改良を加えたパウチおよび口栓の提案がなされているが、必ずしも十分な内容とは言えなかった。
【０００５】
例えば特許文献１には、自立性を有するスタンディングパウチのパウチ内部と注出口の間に逆止弁で区画されたサブ空間を設け、内容物を一端サブ空間に充填した後、注出口のキャップを開けてサブ空間の容積に対応した一定量の内容物を注出するようにした容器が開示されている。
【０００６】
しかしながら特許文献１に記載の容器では、サブ空間に内容物を充填する際にパウチを指で押圧して充填量を加減するようにしており、充填量を一定にするのが困難であった。またサブ空間から内容物を注出するには、サブ空間部分を指で押潰して押出すため、注出量を一定にするのは困難であった。さらに、誤って想定よりも多量の内容物をサブ空間に充填してしまった場合、逆止弁の構造上、余分な内容物を元に戻せず取り出して廃棄するほかなく無駄になってしまう、という問題があった。
【先行技術文献】
【特許文献】
【０００７】
【特許文献１】特開２０１６−６０５０４号公報
【発明の概要】
【発明が解決しようとする課題】
【０００８】
本発明は上記の様な従来技術の課題を解決するためなされたもので、パウチ等の包装袋に取り付けて容易に一定量の内容物の注出が可能で、内容物を無駄にすることが無い計量機能付き口栓を提供することを課題とする。
【課題を解決するための手段】
【０００９】
上記課題を解決するため、本発明の請求項１に係る発明は、
包装袋に取り付ける計量機能付き口栓であって、
外筒と前記外筒に嵌装された内筒を有し、
前記外筒は、下端が閉止され、側面に外導入口が開口し、前記外導入口よりも下部に所定の容積の計量部があり、上端が開放され、
前記内筒は、上端が閉止され、上部側面に注出口が開口し、下部側面に内導入口が開口し、下端が開放され、筒軸方向または筒周方向のうち少なくとも一方に摺動可能であり、
前記内導入口と前記外導入口と前記注出口は、
前記内筒を摺動させて前記内導入口と前記外導入口の位置を合わせたときは前記注出口が前記外筒により閉止され、前記注出口を口栓外へ開口させたときは前記内導入口と前記外導入口の位置がずれて閉止される位置に設けられていることを特徴とする計量機能付き口栓である。
【００１０】
また、請求項２に係る発明は、
前記外筒の上部側面に第二の注出口が設けられ、前記第二の注出口は前記内筒を筒周方向に摺動させることで前記注出口と位置を合わせられる部位に設けられ、前記第二注出口と位置を合わせることにより前記注出口が口栓外へ開口することを特徴とする請求項１に記載の計量機能付き口栓である。
【００１１】
また、請求項３に係る発明は、
前記計量部は透明または半透明な材料で形成され、前記口栓の内容物が透視できることを特徴とする請求項１または２のいずれかに記載の計量機能付き口栓である。
【００１２】
また、請求項４に係る発明は、
前記計量部に目盛りが設けられていることを特徴とする請求項３に記載の計量機能付き口栓である。
【００１３】
また、請求項５に係る発明は、
前記外筒の上部外側面に包装袋との接着部が設けられ、前記接着部は直径方向の両側面が筒軸方向から見て山形に突出していることを特徴とする請求項１から４のいずれかに記載の計量機能付き口栓である。
【００１４】
また、請求項６に係る発明は、
前記内筒の上端に把持部が設けられていることを特徴とする請求項１から５のいずれかに記載の計量機能付き口栓である。
【００１５】
また、請求項７に係る発明は、
透明または半透明なプラスチックフィルムを貼り合せてなり、請求項１から６のいずれかに記載の計量機能付き口栓が取り付けられた包装袋である。
【発明の効果】
【００１６】
本発明の請求項１にかかる発明によれば、包装袋に取り付けた際、位置を合わせた内導入口と外導入口から計量部に所定量の内容物を収納でき、内筒を摺動させて導入口を閉止すると共に注出口を口栓外に開口させて所定量の内容物を取り出すことができ、一定量に計量された内容物を容易に取り出すことができる計量機能付き口栓を提供できる。また内筒を外筒に嵌装させた状態で包装袋に取り付けられるため包装袋を封止でき、別にキャップを設ける必要が無く、内容物の注出の際にキャップを取り外す動作も不要であるという別の効果も呈する。
【００１７】
また請求項２にかかる発明によれば、所定量に計量された内容物を、内筒を筒周方向に回転させるごとくに摺動させることで容易に注出でき、取り扱いがより容易な計量機能付き口栓が提供できる。
【００１８】
また請求項３にかかる発明によれば、透明または半透明な計量部を透して内容物を透視することができ、計量部に収納された内容物の量を目視により確認でき、計量の結果を確実に確認できる計量機能付き口栓が提供できる。
【００１９】
また請求項４にかかる発明によれば、目盛りがあることにより、計量部の所定量の収納量だけでなく、目盛りに応じた一定量の内容物を計量部で計量することができる計量機能付き口栓が提供できる。
【００２０】
また請求項５にかかる発明によれば、外筒の接着部を直径方向の両側で山形に突出させることにより、包装袋に取り付けるための接着の際に包装袋との間に隙間を生じるおそれが少なく、内容物が漏れるおそれの少ない計量機能付き口栓が提供できる。
【００２１】
また請求項６にかかる発明によれば、内筒を摺動させる際に把持部を持つことで容易かつ確実に摺動させることができる計量機能付き口栓が提供できる。
【００２２】
また請求項７にかかる発明によれば、透明または半透明なプラスチックフィルムを貼り合せた包装袋であるため口栓での計量を袋の外部から目視で確認しながら行え、計量結果も注出前に目視により確認できるため確実に一定量ごとの内容物の注出が行える包装袋を提供できる。
【図面の簡単な説明】
【００２３】
【図１】本発明の計量機能付き口栓の一実施形態の縦断面図である。
【図２】本発明の計量機能付き口栓の一実施形態の外筒と内筒の外観斜視図である。
【図３】導入口から内容物を収納する様子の模式図である。
【図４】計量部で内容物の計量する様子の模式図である。
【図５】計量部の目盛りで計量した状態の模式図である。
【図６】計量した内容物を注出する様子の模式図である。
【図７】口栓と包装袋を接着した状態の模式図である。
【図８】本発明の計量機能付き口栓の別の実施形態の縦断面図である。
【図９】本発明の計量機能付き口栓の別に実施形態の外筒と内筒の外観斜視図である。
【図１０】計量部で内容物の計量する様子の模式図である。
【発明を実施するための形態】
【００２４】
以下、本発明の実施の形態を、図面を用いて詳細に説明する。なお本発明は以下の実施形態に限定して解釈されるものではない。
【００２５】
図１は本発明の口栓の一実施形態の縦断面模式図である。また図２は図１の口栓の外筒および内筒それぞれの外観斜視図である。口栓１は、図の上方を上端、下方を下端として、下端が封止され上端が開口した外筒２に、上端が封止され下端が開口した内筒３が嵌装されている。外筒２は上端が開口しており、上部外側面の包装袋と接着する部位の直径方向両側に山形に突出した突出部２４がある。また側面下部に外導入口２０が開口し、外導入口の下方が計量部２６となり、底面２２で封止されている。計量部２６の側面には目盛り２５が設けられている。
【００２６】
内筒３は上端に把持部３２が設けられて封止され、上部側面に注出口３１が開口し、下部側面の注出口３１と直径方向の反対側に内導入口３０が開口しており、下端が開口している。外筒２と内筒３を開口している端部同士が対向するように嵌装し、内導入口３０を外導入口２０の位置を合わせて口栓外に開口した状態が図１（ａ）である。このとき、注出口３１は外筒２に覆われ閉止されている。
【００２７】
この状態から内筒３を上方に摺動させていくと、内導入口３０と外導入口２０の位置がずれ始め、完全にずれて外導入口２０が閉止されると、注出口３１が開口し始める。注出口３１が完全に開口した状態が図１（ｂ）である。
【００２８】
このとき内筒３の摺動範囲を規制し、内筒３が外筒２から抜け落ちてしまうのを防ぐために外筒３の内面に縦溝２１を設け、内筒３外面に設けた突起３３と嵌合させて摺動範囲を一定範囲に規制するようにすることができる。なお、このような規制を設けないことにより内筒を筒軸方向、筒周方向の両方に摺動可能として、包装袋に取り付けた際に注出口の向きを包装袋に対して任意の向きに向けることができる様にすることもできる。
【００２９】
図３（ａ）は本実施形態の口栓１が、内容物４３を収納したスタンディングパウチ形状の包装袋４の端縁シール部４１に、接着部２７で接着されて取り付けられた例を示すものであり、外導入口２０と内導入口３０が開口している状態である。この状態から包装袋４を傾け、図３（ｂ）のように内容物４３が外導入口２０の上に来るようにすると、外導入口２０から筒内に内容物４３が流れ込む。十分な量の内容物４３が流れ込んだ後、包装袋４を元のように正立させると、計量部２６の容積を上回って流入した内容物４４は外導入口２０から流れ出て包装袋４に戻る。この結果、口栓１内には、計量部２６の所定の容積に従った一定量の計量された内容物４５が、図４（ｂ）のように保持される。
【００３０】
また、図５（ａ）に示すように内容物４５を外導入口２０からさらに排出して、目盛り２５に合わせた一定量の計量を行うこともできる。なおその際は計量部２６および包装袋４は透明または半透明の材料で構成して目盛りが包装袋４の外部から見えるようにする。上記のいずれかの方法で計量後、内筒３を図５（ｂ）のように把持部３２を持って上方に摺動させ、外導入口２０を閉止すると共に注出口３１を開口させ、図６のように包装袋４を傾け、計量された内容物４５を注出することができる。このとき内容物４３が外導入口２０の上に達しても、外導入口２０は閉止されているので口栓１内に流れ込むことはない。
【００３１】
なお本発明の口栓を取り付ける包装袋４は、図５に例示したようなスタンディングパウチ形状に限らず、三方シールパウチ、四方シールパウチ、合掌シールパウチ、ガセットパウチなど公知のいずれの形状の包装袋に対しても適用できる。またその材質は公知のプラスチックフィルムから適宜選択して用いることができ、セロハン、延伸ポリプロピレン、無延伸ポリプロピレン、ポリエチレンテレフタレート、ポリエチレンナフタレート、ナイロン、ポリスチレン、ポリビニルアルコール、エチレンービニルアルコール共重合体、ポリ塩化ビニル、ポリ塩化ビニリデン、ポリメチルペンテン、ポリアクリロニトリル等が例示でき、更に、前記各種プラスチックフィルムの多層の積層フィルム（共押出しフィルム、接着剤で張り合わせたラミネートフィルム）や、プラスチックフィルムと、アルミニウム箔または、アルミニウム蒸着フィルムとの積層フィルム等も使用できる。
【００３２】
図７（ａ）は本実施形態の口栓１の外筒２を接着部２７で包装袋４に接着した部分を筒軸方向から見た拡大図である。接着部２７には直径方向の両側に山形に突出した突出部２４があるため、包装袋４との接着が隙間なく良好に行える。突出部２４が無い場合、図７（ｂ）に示すように包装袋４が外筒２と接着される両側部分に略三角形状の隙間２８が生じやすくなるため、接着条件の設定が難しくなる、あるいは接着に時間がかかるなどの問題が生じることがある。
【００３３】
本発明の口栓を構成する材料としては、パウチとの接着性、成型加工性、強度、コストなどを考慮して公知の材料から適宜選択すれば良いが、パウチとヒートシール接着できる材料とするとより好ましく、以下の熱可塑性硬質合成樹脂が例示できる、すなわち、ポリ
エチレンテレフタレート樹脂、ポリエチレンナフタレート樹脂、ポリカーボネート樹脂、ナイロン樹脂、ポリスチレン樹脂、ポリビニルアルコール樹脂、エチレンービニルアルコール共重合体樹脂、ポリ塩化ビニル樹脂、ポリアクリロニトリル樹脂が使用できるが、特に硬く、耐熱性の高いものを必要とする場合には、ポリエチレンテレフタレート樹脂、ポリエチレンナフタレート樹脂、ポリカーボネート樹脂が好ましく使用できる。
【００３４】
図８および図９は本発明の口栓の別の実施形態を示すもので、図８は口栓１０の縦断面図、図９は口栓１０の外筒５と内筒６の外観斜視図である。なお本実施形態の口栓１０について、先に例示した実施形態と異なる部分を中心に以下に説明し、重複する、あるいは同等の部分については説明を省略することがある。
【００３５】
口栓１０は外筒５に内筒６が嵌装されており、外筒５には外導入口５０、計量部５６があると共に上部側面に第二の注出口５１が設けられている。内筒６には内導入口６０、注出口６１、把持部６２がある。また外側面を周回する周条６３が設けられ、外筒５の内面を周回して設けられた周溝５３に嵌合している。周条６３と周溝５３が嵌合していることにより、内筒６は筒周方向に回転するように摺動が可能となると共に、筒軸方向には摺動しないようになっているため注出口６１と第二の注出口５１の位置あわせがより容易になり、内容物が内筒６と外筒５の摺動面から漏れるおそれを低減でき、内筒６の抜け止めにもなる。
【００３６】
内導入口６０を外導入口５０の位置を合わせて口栓１０外に開口した状態が図８（ａ）である。このとき、注出口６１は外筒５に覆われ閉止されている。この状態から内筒６を回転するように摺動させると、内導入口６０と外導入口５０の位置がずれ始め、完全にずれて外導入口５０が閉止されると、第二の注出口５１と注出口６１の位置が合い始め、開口し始める。第二の注出口５１と注出口６１の位置が合うことにより注出口６１が完全に口栓外に開口した状態が図８（ｂ）である。
【００３７】
図１０（ａ）は、本実施形態の口栓１０が内容物７３を収納したスタンディングパウチ形状の包装袋７の端縁シール部７１に接着部５７で接着されて取り付けられ、計量部５６に計量された内容物７５が入っている状態を示すものであり、外導入口５０と内導入口６０が開口している状態である。この状態から内筒６を図１０（ｂ）のように把持部６２を持って回転摺動させ、外導入口５０を閉止すると共に第二の注出口５１と注出口６１の位置を合わせて開口させた状態が図１０（ｂ）であり、この後、先に例示した実施形態と同様、包装袋７を傾け、計量された内容物７５を注出することができる。このとき内容物７３が外導入口５０の上に達しても、外導入口５０は閉止されているので口栓１０内に流れ込むことはない。
【００３８】
本実施形態においても、先に例示した実施形態と同様に、外筒５には計量部５６、目盛り５５、接着部５７および突出部５４が設けられ、内筒６には把持部６２が設けられている。それぞれの機能は先に例示した実施形態と同様である。
【００３９】
以上説明したように、本発明の口栓を用いることにより、パウチ等の包装袋に収納された内容物を所定の量に計量して注出することが容易に行え、またそのような包装袋が得られる。
【符号の説明】
【００４０】
１、１０・・・・口栓
２、５・・・・・外筒
３、６・・・・・内筒
４、７・・・・・パウチ
２０、５０・・・外導入口
２４、５４・・・突出部
２５、５５・・・目盛り
２６、５６・・・計量部
２７、５７・・・接着部
２８・・・・・・隙間
３０、６０・・・内導入口
３１、６１・・・注出口
３２、６２・・・把持部
４１、７１・・・端縁シール部
４３、７３・・・内容物
４５、７５・・・計量された内容物
５１・・・・・・第二の注出口
【図１】
2018127266.tif 000003
【図２】
2018127266.tif 000004
【図３】
2018127266.tif 000005
【図４】
2018127266.tif 000006
【図５】
2018127266.tif 000007
【図６】
2018127266.tif 000008
【図７】
2018127266.tif 000009
【図８】
2018127266.tif 000010
【図９】
2018127266.tif 000011
【図１０】
2018127266.tif 000012